(57)【要約】ビデオトリップワイヤを実施する方法は，システムによって使用される感知デバイスパラメータを決定するために，感知デバイスを較正するステップと，少なくとも１つの仮想トリップワイヤを入力することを含む，システムを初期化するステップと，感知デバイスからデータを得るステップと，少なくとも１つのバーチャルトリップワイヤが横切られたか否かを決定するために，感知デバイスから得られるデータを解析するステップと，バーチャルトリップワイヤ横断に対して応答を起動するステップと，を含む。
2005506740.tif 000002
【特許請求の範囲】
【請求項１】
ビデオトリップワイヤシステムであって：
ビデオ出力を生成する検出装置と；
較正を行うため及び前記検出装置から受信されたビデオ出力に基づいてデータを収集して処理するために，ユーザーインターフェースを含むコンピュータシステムと；
を備え，
前記ユーザーインターフェースは入力手段と出力手段とを含み，前記コンピュータシステムは処理済データを表示することを特徴とする，ビデオトリップワイヤシステム。
【請求項２】
前記検出装置から前記ビデオ出力を伝送する伝送手段と；
前記伝送手段によって，前記ビデオ出力を伝送する通信媒体と；
前記通信媒体から前記ビデオ出力を受信する受信手段と；
をさらに備えることを特徴とする，請求項１に記載のビデオトリップワイヤシステム。
【請求項３】
前記通信媒体はケーブルであることを特徴とする，請求項２に記載のビデオトリップワイヤシステム。
【請求項４】
前記通信媒体は通信ネットワークを含むことを特徴とする，請求項２に記載のビデオトリップワイヤシステム。
【請求項５】
前記出力手段は，可視警報を伝達する可視警報伝達手段もしくは可聴警報を伝達する可聴警報伝達手段のうち少なくとも一方を含むことを特徴とする，請求項１に記載のビデオトリップワイヤシステム。
【請求項６】
前記出力手段が，ビジュアル表示デバイスを含むことを特徴とする，請求項１に記載のビデオトリップワイヤシステム。
【請求項７】
前記ビジュアル表示デバイスは，ビデオ，１又は２以上のスナップ写真，および英数字情報のうち少なくとも一つを表示することを特徴とする，請求項６に記載のビデオトリップワイヤシステム。
【請求項８】
ビデオデータまたは英数字データのうち少なくとも一方を格納する１又は２以上のメモリデバイスを更に備えることを特徴とする，請求項１に記載のビデオトリップワイヤシステム。
【請求項９】
前記感知デバイスは，ビデオカメラと，赤外線カメラと，音波ホログラフィー装置と，赤外線画像装置とのうち少なくとも１つを備えることを特徴とする，請求項１に記載のビデオトリップワイヤシステム。
【請求項１０】
ビデオ出力を生成する少なくとも１つの追加の感知デバイスをさらに備え，
前記コンピュータシステムは，さらに前記追加の感知デバイスにより生成されたビデオ出力を受信して処理することを特徴とする，請求項１に記載のビデオトリップワイヤシステム。
【請求項１１】
ビデオトリップワイヤシステムを実行する方法であって：
前記システムによって使用される感知デバイスパラメータを決定するために感知デバイスを較正するステップと；
少なくとも１つの仮想トリップワイヤを入力するステップが含まれる，前記システムを初期化するステップと；
前記感知デバイスからデータを得るステップと；
前記少なくとも１つのバーチャルトリップワイヤが横断されたか否かを決定するために，前記感知デバイスから得られる前記データを分析するステップと；
バーチャルトリップワイヤ横断に対する応答を起動するステップと；
を備える，ビデオトリップワイヤシステムを実行する方法。
【請求項１２】
前記較正するステップは，
ユーザーによって，手作業でパラメータを入力するステップと；
前記ユーザーへのビジュアルフィードバックを生成するステップと；
前記ビジュアルフィードバックの外観が前記ユーザーに受け入れられない場合，前記ユーザーが，前記パラメータを再入力することを可能とするステップと；
を備えることを特徴とする，請求項１１に記載のビデオトリップワイヤシステムを実行する方法。
【請求項１３】
前記較正するステップは，
前記感知デバイスの視野を通過するように人を移動させるステップと；
前記移動する人をセグメント化するステップと；
パラメータを決定するために，前記視野の異なる領域内の前記人のサイズを使用するステップと；
ユーザーにビジュアルフィードバックを供給するステップと；
前記ビジュアルフィードバックの外観が前記ユーザーに受け入れられない場合，前記パラメータの調整を可能とするステップと；
を備えることを特徴とする，請求項１１に記載のビデオトリップワイヤシステムを実行する方法。
【請求項１４】
前記調整を可能とするステップは，前記ユーザーが手作業で前記パラメータを調整することを可能とするステップを備えることを特徴とする，請求項１３に記載のビデオトリップワイヤシステムを実行する方法。
【請求項１５】
前記調整を可能とするステップは，前記較正するステップを再スタートするステップを備えることを特徴とする，請求項１３に記載のビデオトリップワイヤシステムを実行する方法。
【請求項１６】
前記調整を可能とするステップは，前記ユーザーが手作業で前記パラメータを調整するか，又は較正するステップを再スタートするかのいずれかを選択することを可能とするステップを備えることを特徴とする，請求項１３に記載のビデオトリップワイヤシステムを実行する方法。
【請求項１７】
前記セグメント化するステップは，
ピクセルレベル背景モデリングを行うステップと；
フォアグラウンド検出と追跡を実行するステップと；
フォアグラウンドオブジェクトを分析するステップと，
を備えることを特徴とする，請求項１３に記載のビデオトリップワイヤシステムを実行する方法。
【請求項１８】
前記較正するステップは，
前記感知デバイスを使用して所定時間ビデオ情報を収集するステップと；
前記ビデオ情報からオブジェクトをセグメント化するステップと；
前記セグメント化されたオブジェクトを分析して前記感知デバイスの視野に対応するビデオ画像の様々な領域内の人の平均サイズを決定するステップと；
前記様々な領域内の人の平均サイズを使用パラメータを決定するステップと；
を備えることを特徴とする，請求項１１に記載のビデオトリップワイヤシステムを実行する方法。
【請求項１９】
前記セグメント化するステップは，
ピクセルレベル背景モデリングを行うステップと；
フォアグラウンド検出と追跡を行うステップと；
フォアグラウンドオブジェクトを分析するステップと；
を備えることを特徴とする，請求項１８に記載のビデオトリップワイヤシステムを実行する方法。
【請求項２０】
前記分析するステップは，
前記ビデオ画像の突出しない領域を決定するステップと；
前記ビデオ画像の突出した領域内で検出されるフォアグラウンドオブジェクトのヒストグラムを形成するステップと；
を備えることを特徴とする，請求項１８に記載のビデオトリップワイヤシステムを実行する方法。
【請求項２１】
前記ビデオ画像の指定の領域内の人の平均サイズの決定は，その領域内で検出された多数のフォアグラウンドオブジェクトが，所定数を越える場合だけ行われることを特徴とする，請求項２０に記載のビデオトリップワイヤシステムを実行する方法。
【請求項２２】
ヒストグラムの最高ピークは，一人の人に対応するように取られることを特徴とする，請求項２０に記載のビデオトリップワイヤシステムを実行する方法。
【請求項２３】
前記ユーザーによって，較正するのに使用される１又は２以上のタイムウインドウを入力するステップをさらに備えることを特徴とする，請求項１８に記載のビデオトリップワイヤシステムを実行する方法。
【請求項２４】
前記システムを初期化するステップは，少なくとも１つのロギングオプションを選択するステップをさらに含むことを特徴とする，請求項１１に記載のビデオトリップワイヤシステムを実行する方法。
【請求項２５】
前記分析するステップは，検出されたオブジェクトが前記少なくとも１つのバーチャルトリップワイヤにオーバーラップするか否かを決定するステップを備えることを特徴とする，請求項１１に記載のビデオトリップワイヤシステムを実行する方法。
【請求項２６】
前記較正するステップは，
オブジェクトのセグメンテーションを行うステップを備え，
前記検出されたオブジェクトが，前記オブジェクトのセグメンテーションを行うステップに基づいて検出されることを特徴とする，請求項２５に記載のビデオトリップワイヤシステムを実行する方法。
【請求項２７】
前記オブジェクトのセグメンテーションを行うステップは，
ピクセルレベル背景モデリングを行うステップと；
フォアグラウンド検出と追跡を行うステップと；
フォアグラウンドオブジェクトを分析するステップと，
を備えることを特徴とする，請求項２６に記載のビデオトリップワイヤシステムを実行する方法。
【請求項２８】
前記分析するステップは，
オブジェクトのセグメンテーションを行うステップをさらに備え；
前記検出されたオブジェクトが，前記オブジェクトのセグメンテーションを行うステップに基づいて検出されることを特徴とする，請求項２５に記載のビデオトリップワイヤシステムを実行する方法。
【請求項２９】
前記オブジェクトのセグメンテーションを行うステップは，
ピクセルレベル背景モデリングを行うステップと；
フォアグラウンド検出と追跡を行うステップと；
フォアグラウンドブジェクトを分析するステップと；
を備えることを特徴とする，請求項２６に記載のビデオトリップワイヤシステムを実行する方法。
【請求項３０】
前記分析するステップは，
検出されたオブジェクトが前記少なくとも１つのバーチャルトリップワイヤにオーバーラップしているか否かを決定する前記ステップについて，肯定結果を戻す場合，横断の方向がユーザーによって入力される横断の方向とマッチするか否かを決定するステップをさらに備えることを特徴とする，請求項２５に記載のビデオトリップワイヤシステムを実行する方法。
【請求項３１】
前記分析するステップは，
横断の方向がユーザーによって入力される横断の方向とマッチするか否かを決定する前記ステップが，肯定結果を戻す場合，前記検知されたオブジェクトの性質に関して少なくとも１つの追加の問い合わせを行うステップをさらに備えることを特徴とする，請求項３０に記載のビデオトリップワイヤシステムを実行する方法。
【請求項３２】
前記分析するステップは，
検出されたオブジェクトが前記少なくとも１つの仮想トリップワイヤにオーバーラップしているか否かを決定する前記ステップが，肯定結果を戻す場合，前記検知されたオブジェクトの性質に関して少なくとも１つの追加の問い合わせを行うステップをさらに備えることを特徴とする，請求項２５に記載のビデオトリップワイヤシステムを実行する方法。
【請求項３３】
応答を起動する前記ステップは，音響警報を作動すること，視覚警報を作動すること，スナップ写真を撮ること，及びビデオを記録することの内の少なくとも１つを備えることを特徴とする，請求項１１に記載のビデオトリップワイヤシステムを実行する方法。
【請求項３４】
テールゲーティング検出の方法は，請求項１１に記載の方法を含み，さらに，
人が対象となるエリアに入っている検出するステップと；
前記検出ステップに応答して前記対象となるエリアの監視を開始するステップと；
前記対象となるエリアに入る人の数が許容数よりも多いか否かを決定するステップと；
前記決定するステップが肯定結果を戻す場合，応答を起動するステップと；
を備えることを特徴とする，テールゲーティング検出方法。
【請求項３５】
請求項１１に記載の方法を実施するソフトウェアを含むことを特徴とする，コンピュータ読取り可能媒体。
【請求項３６】
請求項１１に記載の方法を実施するソフトウェアを実行することを特徴とする，コンピュータシステム。
【請求項３７】
ビデオトリップワイヤシステムであって：
出力データを供給する感知デバイスと；
前記出力データを受信するコンピュータシステムと；
を備え；
前記コンピュータシステムは，
ユーザーインターフェースと；
少なくとも１つのプロセッサと；
請求項１１に記載の方法を実施するソフトウェアを含有するコンピュータ読み取り可能な媒体と；
を備えることを特徴とする，ビデオトリップワイヤシステム。
【発明の詳細な説明】
【技術分野】
【０００１】
本発明は，監視システムに関する。
【背景技術】
【０００２】
原型の形態では，トリップワイヤは，ワイヤや，ひも等が，通り道を横切るように引き伸ばされた構成であり，そして，だれか，あるいは，何かが，そのワイヤにつまずくことになるか，それを引っ張ることがある等の場合，なんらかの応答をするための処理が起動していた。例えば，そのような応答は，地雷を爆発すること，警報を鳴らすこと，あるいは，事象を記録すること（例えば，カウンタ，カメラなどを起動すること）が出来た。現在，例えば，トリップワイヤは，例えば光のビーム（例えば，レーザー，赤外線，あるいは，可視光）としてしばしば用いられる。誰かが又は何かが，その光のビームを遮断すると，応答するための何がしかの処理が起動する。
【０００３】
従来に係るビームを使用するトリップワイヤの例として，図１に概略的に示されている。光源が，光のビームを生成し，このビームが通り道を横切るようにレシーバに伝送される。次に，そのビームが遮断されると，レシーバは，それをもはや受信することが出来ない。この結果，上記説明したように，なんらかの応答をするための処理が起動される。
【０００４】
従来のトリップワイヤは，それらが少なくとも概念的に使用が簡単であるという点で有益である。また，それらは，これらのトリップワイヤが設置されると，実施するための最小限のユーザーを必要とするに過ぎなくなる。
【発明の開示】
【発明が解決しようとする課題】
【０００５】
しかしながら，従来のトリップワイヤは，多くの問題となる不都合な点を有している。例えば，それらは，対象となる起動オブジェクトと対象にならない起動オブジェクトとを識別することが出来ない。例として，１つには，犬ではなく，人が何人通り道を歩るくかということが対象となることがある；しかし，人か又は，犬のいずれかが，トリップワイヤを起動することになる。また，人が集団で一緒に歩く場合に，各人について１回ではなく，トリップワイヤが一回だけ起動されるという問題がある。
【０００６】
更に，従来に係るトリップワイヤの構成は，一般に，専用の装置の設置が含まれていた。例えば，レーザートリップワイヤの例を考慮すると，レーザー源とレーザー検出器が，対象となる通り道を横切って設置されることが必要である。更に，そのような専用装置は，容易に他人に気づかないように設置することが難しい。
【０００７】
更に，従来のトリップワイヤは，高度なフレキシビリティを提供しない。従来のトリップワイヤは，典型的には，単に，横断の方向に関係なく，だれかが又は何かが，それを横切って通っているか否かを検出する。更に，それらは，直線状に延在しているので，単に，従来のトリップワイヤは，それらが横切ってセットアップされることが出来る領域に制限される。
【０００８】
また，従来のビデオ監視システムも，現在では，一般的に使用されている。それらは，例えば店舗，銀行，及び多くの他の施設において普及している。一般に，ビデオ監視システムは，１又は２以上のビデオカメラを含み，１又は２以上のカメラからのビデオ出力は，後でのレビューのために記録されるか，或いは，オブザーバーによってモニタされるかのいずれか，又は，それらの両方が行われる。そのようなシステムは，図２に描かれており，ビデオカメラ１は，通り道に向けられている。ビデオカメラ１は，ビデオ信号を生成し，これらの信号は，ここではケーブル２として示されている通信媒体によって伝送される。ケーブル２は，モニタリング装置３と記録装置４の内の一方，又は両方に供給する。
【０００９】
従来に係るトリップワイヤとは対照的に，ビデオ監視システムは，人と動物との間（例えば，対象となるオブジェクトと対象ではないオブジェクトとの間）を識別することが可能であり，そして，一緒に歩いている集団の人の中の個々人を識別することが可能である。更に，それらは，それらがモニタすることが可能な領域の形状に関して，トリップワイヤ全体に亘りフレキシビリティをもたらす。また，ビデオ監視システムが，そのように広範囲に使用されているので，更なる器具を設置する必要がない。しかしながら，ビデオ監視システムは，いくつかの欠点を持っている。
【００１０】
従来のビデオ監視システムの最も重要な欠点は，それらが，生成されるビデオから情報を抽出するため，ユーザの高度な介入又は経験を必要とすることである。即ち，それが生成されるとき誰かが，ビデオをじっと見ている必要がある，或いは，誰かが，記録されたビデオをレビューする必要があるかのいずれかである。
【００１１】
先行技術のビデオベースの監視システムは，Ｓｅｅｌｅｙ等への米国特許第６，０９７，４２９号と第６，０９１，７７１号（以下では，まとめて，「Ｓｅｅｌｅｙ等」と称される）とに見出されることが可能である。Ｓｅｅｌｅｙ等は，侵入が検知されるとスナップ写真を撮ることを含むビデオセキュリティシステムに関する。Ｓｅｅｌｅｙらは，間違い警報と，とりわけ，なんらかの侵入／侵入者を検知する必要とに関する問題のいくつかに取り組んでいる。画像識別技術及びオブジェクト認識技術は，このキャパシティで使用されている。しかしながら，以下に記述されるように，Ｓｅｅｌｅｙ等と本発明との間には多数の相違点がある。Ｓｅｅｌｅｙ等の最も厳しい欠点の中で，検知と認識が行われる方法に関する開示がないことである。これらの分野において開示されていることは，本発明に関して提示されていることとは対照をなしている。
【００１２】
ビデオと他のセンサベースの監視システムの他の例は，Ｎａｓｂｕｒｇへの米国特許第５，６９６，５０３号と第５，８０１，９４３号（以下では，まとめて，「Ｎａｓｂｕｒｇ」と称される）に論じられている。Ｎａｓｂｕｒｇは，ビデオセンサを含む複数のセンサを使用して車の追跡することを扱っている。「指紋」は，車が追跡され，そして，その後，個人の車を検出するのに使用されるのに開発されている。Ｎａｓｂｕｒｇは，ビデオトリップワイヤの概念を述べているのに対して，そのようなビデオトリップワイヤが実施される方法に関して開示されていない。更に，Ｎａｓｂｕｒｇは，それが車を検知し追跡することにのみに焦点が合わされているという点で本発明とは異なる。対照的に，本発明は，以下に開示され，請求されているように，（車両のような）剛性の及び（人間のような）剛性でないものの両方の任意の移動オブジェクトオブジェクトを検知することを目的としている。
【００１３】
上記問題点に鑑みて，トリップワイヤの利点とビデオ監視システムの利点とを兼ね備える監視システムを有することは有益であり，そして，このことが，本発明の目的である。
【課題を解決するための手段】
【００１４】
上記課題を解決するため，本発明の第１の観点によれば，本発明は，ビデオトリップワイヤシステムを実施し，このシステムでは，任意の形状の仮想トリップワイヤは，コンピュータベースのビデオ処理技術を使用してデジタルビデオに配置されている。次に，そのバーチャルトリップワイヤは，コンピュータ利用ビデオ処理技術を再度使用してモニタされる。そのモニタリングの結果として，統計が編成され，侵入が検知され，事象が記録され，応答が起動されることなどである。例えば，本発明の１つの実施形態において，１つの方向に仮想トリップワイヤを横切る人の事象は，更なる識別のために，その人のスナップ写真の収集を起動することが出来る。
【００１５】
本発明のシステムは，コンピュータ装置と共に既存のビデオ装置を使用して実行されることができる。従って，それは，モニタリング装置の費用のかかる設備を必要としないという利点を有している。本発明のシステムは，一方では，対応する方法の様々なステップを実行するソフトウェアを含有するコンピュータ読み取り可能な媒体の形状で，或いは，そのようなソフトウェアを実行するコンピュータネットワークを含むことが出来るコンピュータシステムとして，具体化されることが出来る。
【００１６】
また，本発明のシステムは，熱画像形成システム，又は赤外線カメラを含む従来のビデオではなく，画像形成装置と共に使用されることができる。
【００１７】
本発明の１つの実施形態は，まだ設けられていない場合，感知デバイス（ビデオカメラ，あるいは，他のそのような装置でよい）を設置するステップと；その感知デバイスを較正するステップと，バーチャルトリップワイヤとして境界を設定するステップと，データを収集するステップと，を含む，ビデオトリップワイヤシステムを実施する方法を備える。
【００１８】
さらなる目的及び利点は，説明，図面，及び例を考察すると明らかになる。
【００１９】
（定義）
本発明を説明するに当たり，以下の定義は，全体を通して（上記を含む）適用可能である。
【００２０】
「コンピュータ」は，構造化入力を受け取り，指定ルールに従いその構造化入力を処理し，そして，出力として処理の結果を生成することができる任意の装置のことである。コンピュータの例としては，コンピュータと，汎用コンピュータと，スーパーコンピュータと，メインフレームと，スーパーミニコンピュータと，ミニコンピュータと，ワークステーションと，マイクロコンピュータと，サーバと，双方向テレビジョンと，コンピュータと双方向テレビジョンとのハイブリッド組み合わせと，コンピュータ及び／又はソフトウェアをエミュレートするためのアプリケーション専用ハードウェアと，を含む。コンピュータは，単一のプロセッサ，又は並列に及び／又は並列でなく作動することが可能なマルチプルプロセッサを有することが可能である。更に，コンピュータは，コンピュータ同士間の情報を送信又は受信するために，ネットワークを介して互いに接続される２つ又はそれより多くのコンピュータのことでもよい。そのようなコンピュータの例としては，ネットワークによってリンクされる複数のコンピュータを介して情報を処理する分散型コンピュータシステムを含む。
【００２１】
「コンピュータ読み取り可能な媒体」は，コンピュータによってアクセス可能なデータを格納する任意の記憶装置のことである。コンピュータ読み取り可能な媒体の例としては，磁気ハードディスクと，フロッピーディスク（登録商標）と，ＣＤ−ＲＯＭ又はＤＶＤ等のような光ディスクと，磁気テープと，メモリチップと，ｅ−メールの送受信に又はネットワークへのアクセスに使用されるものなどのコンピュータ読み取り可能な電子データを搬送するのに使用される搬送波とを含む。
【００２２】
「ソフトウェア」は，コンピュータを作動する指定ルールのことである。ソフトウェアの例としては，ソフトウェアと，コードセグメントと，命令と，コンピュータプログラムと，プログラムされたロジックと，を含む。
【００２３】
「コンピュータシステム」は，コンピュータを有するシステムのことであり，そのコンピュータは，コンピュータを作動するためのソフトウェアを具体化するコンピュータ読み取り可能な媒体を備える。
【００２４】
「ネットワーク」は，通信施設によって接続される多数のコンピュータ及び関連デバイスのことである。ネットワークは，ケーブル等の永久接続，或いは電話又は他の通信リンクを介して行われるものなどの一時的接続を含む。ネットワークの例としては，Ｉｎｔｅｒｎｅｔ等のインターネットと，イントラネットと，ローカルエリアネットワーク（ＬＡＮ）と，広域ネットワーク（ＷＡＮ）と，インターネットとイントラネットのような複数のネットワークの組み合わせと，を含む。
【００２５】
「ビデオ」は，アナログ及び／又はデジタル形式で表わされる動画のことである。ビデオの例としては，テレビジョンと，映画と，カメラ又は他のオブザーバーからの画像シーケンスと，コンピュータ発生画像シーケンスと，を含む。これらは，例えば，ライブフィード，記憶装置，ＩＥＥＥ  １３９４−ベースのインターフェース，ビデオデジタイザ，コンピュータグラフィックスエンジン，又はネットワーク接続から得られる。
【００２６】
「ビデオ処理」は，例えば，圧縮と編集を含む，ビデオの任意の操作のことである。
【００２７】
「フレーム」は，ビデオ内の特定の画像又は他のディスクリートユニットのことである。
【発明を実施するための最良の形態】
【００２８】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２９】
図面に例示されている本発明の好ましい実施形態を説明するに当たり，特定の用語が，明瞭のために使用されている。しかしながら，本発明は，そのように選択された特定の用語に限定されることを意図されるものではない。各特定の要素は，類似の目的を達成するために類似の方法で作動する全ての技術的等価物を含むということは理解されるべきである。本明細書に引用される各参照は，各々が参照により個々に組み込まれるように，参照により組み込まれる。
【００３０】
更に，以下に論じられる実施の形態は，一般に，人々の検出という点に関して論じられている。しかししながら，本発明は，人々の検出に限定されるように理解されるべきではない。そうではなく，以下に論じられている実施の形態におけるビデオトリップワイヤシステムは，生物又は無生物のすべての種類のオブジェクトを検出するのに使用されることが可能である。例としては，車両，動物，植物の成長（例えば，垣根を刈り込む時期が何時であるかを検知するシステム），落下オブジェクト（例えば，再利用可能な容器がガーベッジシュートに落とし入れられる時を検知するシステム），及び顕微鏡でなければ見えない存在（例えば，微生物が，細胞壁を浸透した時を検知するシステム）を含む。
【００３１】
図３は，ビデオトリップワイヤシステムの実施形態の概観を示している。図２におけるように，感知デバイス１は，通り道に向けられて，出力信号を発生する。感知デバイス１は，図２に関連して論じられるように，ビデオカメラでよい。しかしながら，それは，例えば，熱ベースの，音響ベースの（例えば，ソノグラム）又は，赤外線ベースのデバイス等のビデオタイプ出力を発生する任意の他のタイプの感知デバイスでもよい。感知デバイス１の出力は，通信媒体２を介して送信される。通信媒体２は，例えば，ケーブルでよい。しかしながら，それは，例えば，ＲＦ，ネットワーク（例えば，Ｉｎｔｅｒｎｅｔ），又は光波等のあらゆる他の通信媒体でもよい。通信媒体２を介する通信が，変調，コーディング，圧縮又は他の通信関連信号処理を必要とする場合，そのような信号処理を行う手段は，感知デバイス１の部分として，又は感知デバイス１（図示せず）に結合される別個の手段としてのいずれかとして設けられる。通信媒体２は，感知デバイス１から分析システム５に出力信号を搬送する。分析システム５は，ユーザーインターフェース６から入力を受信し，ユーザーインターフェース６に出力を送信する。ユーザーインターフェース６は，例えば，モニタ，マウス，キーボード，タッチスクリーン，プリンタ，又は他の入力／出力デバイスを含むことが出来る。ユーザーインターフェース６を使用すると，ユーザーは，初期化する（以下に記述されるように，仮想トリップワイヤを生成することを含む）のに必要とされる入力を含む入力をそのシステムに供給し，且つ分析システム５にコマンドを供給することが出来る。ユーザーインターフェース６は，さらに，警報，あるいは，他の警告装置を含むことが出来る。ユーザインターフェース６は，例えば，上記に論じられるように，起動事象に対して任意の他の応答を実施する手段を含むこと，又はその手段に接続されることが出来る。ユーザーインターフェース６は，一般に，図２におけるモニタリングデバイス３のような表示デバイスを更に含む。
【００３２】
分析システム５は，ビデオトリップワイヤを実施するために必要な処理を含む，解析タスクを実行する。分析システム５の実施の形態は，図４により詳細に示されている。図４は，図３にも示されているように，通信媒体２とユーザーインターフェース６とに結合される分析システム５を示している。図４には，受信機５１と，コンピュータシステム５２と，メモリ５３とを備える分析システム５を含むように示されている。受信機５１は，通信媒体２から感知デバイス１の出力信号を受信する。その信号が変調され，符号化されている場合などは，レシーバ５１は，復調，デコーディング等を実行する手段を含有している。更に，通信媒体２から受信される信号が，アナログ形態である場合，レシーバ５１は，アナログ信号をコンピュータシステム５２によって処理するのに適するデジタル信号に変換する手段を含む。レシーバ５１は，示されるように，別個のブロックとして実行されることが出来る。，或いは，それは，他の実施形態において，コンピュータシステム５２に一体化されてもよい。また，通信媒体２からコンピュータシステム５２に信号を送信する前に，信号処理を実行する必要がない場合，レシーバ５１は，完全に省略されてもよい。
【００３３】
コンピュータシステム５２は，メモリ５３を備え，そのメモリ５３は，示されているように，コンピュータシステム５２の外部にあってもよいし，それに組み込まれてもよいし，或いは，両方の組み合わせでもよい。メモリ５３は，分析システム５２によって必要とされる全てのメモリリソースを含み，通信媒体２から受信される信号を格納する１つ又はそれより多くの記録デバイスを含むことが出来る。
【００３４】
本発明の更なる実施形態において，感知デバイス１は，同じ場所をモニタする１つより多くの感知デバイスの形態で実施されることが出来る。この場合，各感知デバイスによって出力されるデータは，通信媒体２を介してデータを送信する前に統合されてもよいし，或いは，全ての感知デバイスの出力が，分析システム５に送信されて，そこで処理されてもよい。
【００３５】
本発明の更に他の実施形態において，感知デバイス１は，異なる位置をモニタしてそれらのデータを単一の分析システム５に送信する複数の感知デバイスを備えてもよい。このように，単一のシステムは，複数のサイトの監視に使用されることが可能である。
【００３６】
図３と図４に示されるコンポーネントによって実行されるプロセスは，本発明の方法の以下の論議を考慮すると明白になる。
【００３７】
図５は，本実施の形態にかかる方法の概略を示すフローチャートである。感知デバイス１が，設置されていない場合，１つが設置される必要がある（ステップ７１）。しかしながら，多くの場合，そのような感知デバイスは既に存在している。例えば，大部分の銀行は，既にビデオ監視システムを使用しており，そのために，新しいビデオカメラを設置する必要がない。本システムの好ましい実施の形態において，１つの感知デバイス（又は複数のデバイス）は，固定的に設置される。理想的には，それは，「自然」向き（即ち，実世界における上向きに対応する画像における上向き）で設置される。
【００３８】
感知デバイス１が設置されると，分析システム５でそれを較正する必要がある。システム較正は，一般的に言うと，システムが，感知デバイス１の必要な較正パラメータを告げられる（又は自動的に決定する）明示較正によって，又はシステムが，感知デバイス１の視界内の様々な場所での対象となるオブジェクトのサイズを告げられる（又は自動的に決定する）暗黙較正によってのいずれかで実行されることが出来る。較正の目的は，スケール情報を提供することである，即ち，そのために，そのシステムは，対象となる人又は他のオブジェクトのサイズが，異なる画像領域においてあるべきサイズを知る。この情報は，特に，データ解析ステップ７４において重要である。較正は，手作業による数値較正，支援セグメンテーション較正，及び全自動較正の３つの方法の内の１つ，或いはそれらの２つ以上の組み合わせで実行されることが出来る。これらの方法の実施の形態のフローチャートは，図６，図７及び図８にそれぞれに示されている。
【００３９】
図６は，上記に論じられるように，明示較正を含有する手作業での較正方法の実施の形態のフローチャートを示している。ユーザーは，ユーザーインターフェース６を介して，感知デバイス１に関するパラメータを入力する（ステップ７２１）。これらのパラメータは，例えば，感知デバイス１の焦点距離，地面からの感知デバイス１の高さ，及び地面に対する感知デバイス１の角度を含むことが出来る。次に，分析システム５は，ビジュアルフィードバックを生成する（ステップ７２２）。例えば，システムは，実際のビデオフレームに対象となる人又は他のオブジェクトを重ね合わすことが出来る。ビジュアルフィードバックは，ユーザーインターフェース６でユーザーに提示される。ビジュアルフィードバックは，スケール情報（例えば，その周囲に対する対象となる人又は他のオブジェクトのサイズ）を提供し，それは，較正が正確であることを検証するのに役立つ。次に，ユーザーは，ビジュアルフィードバックの外観が受け入れ可能である否か，或いはパラメータが調節される必要であるか否かを決定する（ステップ７２３）。それが受け入れ可能である場合，そのプロセスは，終了される。そうでない場合，そのプロセスは，新しいパラメータの入力のためにループバックする（ステップ７２１）。
【００４０】
暗黙較正を使用し，少なくとも多少明示較正を含んでもよい支援セグメンテーション較正方法の実施形態（以下を参照）は，図７に示されている。この実施の形態において，人は，感知デバイス１の視野を横切って歩く（又は，対象となる何か他のオブジェクトが動く。その後の論議は，人に言及しているが，対象となる他のタイプのオブジェクトに等しく適用可能であることは理解されるべきである）（ステップ７２１Ａ）。これは，そのシステムが，画像の異なる領域内での平均的な人の予想サイズを決定することを可能とするためである。歩いている人は，較正の間，視野内でのただ移動しているオブジェクトであるべきである。次に，そのシステムは，移動している人をセグメント化する（ステップ７２２Ａ）。次に，画像の異なる領域内の人のサイズは，較正するために（即ち，上記に論じられるようなパラメータを決定するために）使用される（ステップ７２３Ａ）。ビジュアルフィードバックは，手作業での較正におけるように，提供され（ステップ７２４Ａ），次に，ユーザーは，画像の外観が受け入れ可能か否かを評価する（ステップ７２５Ａ）。次に，受け入れ可能でない場合，ユーザーは，パラメータを調整することが出来る（ステップ７２６Ａ），又は，別法として，その較正は，完全にやり直されることが出来，そのプロセスは，ステップ７２１Ａまでループする（破線の矢印）。これらのオプションのどれが行われるかは，ユーザーに選択させることが出来る。他方，外観が受け入れ可能な場合，そのプロセスは，完了される。
【００４１】
暗黙較正を含む全自動較正方法の実施の形態は，図８に示されている。先ず，情報（ビデオ情報が図８に示されている）は，延長された時間の間，即ち，数時間から数日を通じて，感知デバイス１によって収集される（ステップ７２１Ｂ）。データ収集後，次に，オブジェクトは，解析のためにセグメント化される（ステップ７２２Ｂ）。次に，ヒストグラムは，画像の様々な領域内の様々なオブジェクトのために収集される（ステップ７２３Ｂ）。このステップの詳細は，図９において更に示されている。
【００４２】
図９は，２つのステップのプロセスとして具体化されるヒストグラムステップ７２３Ｂを示しているが，本発明は，このプロセスに限定されるものではない。ステップ１において，システムは，「目立たない」画像領域，即ち，あまりにも多くの乱雑オブジェクトがあり，確実にオブジェクトを追跡できない領域を決定する。その結果，高い信頼で追跡されることが可能なオブジェクトのみが使用される。本発明の１つの実施形態において，これらは，記憶されるオブジェクトである。ステップ２において，システムは，残りの画像領域のみを使用してそれらの領域内で検出されるオブジェクトのヒストグラムを形成する。ステップ２で指摘されるように，且つ図８に示されるように，次に，システムは，画像の各領域内の平均的な人のサイズを決定するためにヒストグラムを使用する（ステップ７２４Ｂ）。次に，この情報は，システムを較正するのに使用される（ステップ７２５Ｂ）。この後者のプロセスは，図７のステップ７２３Ａと同様に実施されることが出来る。
【００４３】
画像領域内の平均的な人のサイズを決定するステップ７２４Ｂは，有意義な決定を結果として生ずるに十分な数のオブジェクトが，所定の領域内にログされる場合だけ実行される。有意義なヒストグラムに必要とされる決定の数は，経験に決定されることが出来，例えば，トリップワイヤが露出される活動の量とタイプに依存してもよい。そのような領域に関して，ピークが，ヒストグラムで検出される。各画像領域内の最高ピーク，即ち，最も頻繁な発生は，一人の場合であると推定される。この情報が決定されると，次に，較正は，首尾よく行われ（ステップ７２５Ｂ），そして，システムは，実際の操作のためにその用意ができているという信号を送ることが出来る。
【００４４】
図８のプロセスは，典型的には，人の介入なく実施される。しかしながら，ユーザーが，集団の人を識別しようと試みる問題を減少するために，大部分のオブジェクトが個々人であると予想される間タイムウインドウを提供することが可能である。そのようなタイムウインドウは，情報を得るステップ７２１Ｂ中か，更なる処理ステップ中のいずれかに課されることが出来る。
【００４５】
自動化較正方法（支援用及び全自動化）の各々は，画像のフォアグラウンド（前景）オブジェクト及び背景へのセグメンテーションを必要とする（図７のステップ７２２Ａと図８のステップ７２２Ｂを夫々参照）。このプロセスの実施の形態は，図１０に示されている。例示の実施の形態は，ピクセルレベル背景モデリング（ステップ７２２１）と，フォアグラウンド検出と追跡（ステップ７２２２）と，オブジェクト解析（ステップ７２２３）との３つのステップから構成されている。
【００４６】
ピクセルレベル背景モデリング（ステップ７２２１）の目標は，画像背景の正確な表示を維持し，且つ背景（ＢＧ）ピクセルをフォアグラウンド（ＦＧ）ピクセルから識別することである。例示の実施の形態において，このステップは，２００１年３月２３日出願の「Ｖｉｄｅｏ  Ｓｅｇｍｅｎｔａｔｉｏｎ  Ｕｓｉｎｇ  Ｓｔａｔｉｓｔｉｃａｌ  Ｐｉｘｅｌ  Ｍｏｄｅｌｉｎｇ（統計的ピクセルモデリングを使用するビデオセグメンテーション）」と題される同一人に譲渡された米国特許出願番号０９／８１５，３８５に開示されているプロセスを実施しそれは，その全体に参照により本明細書に組み込まれている。例示の方法の一般観念は，すべてのピクセルのヒストリが，ピクセル値とそれらの統計量を含むいくつかのフレームによって維持されるということである。安定し，変わらないピクセルは，ＢＧとして扱われる。ピクセルの統計量が，かなり変化する場合，それは，ＦＧと考えられる。そのピクセルが，再び安定すると，それは，もとに戻って，ＢＧピクセルと考えられる。この方法は，センサノイズを軽減し，そして，自動的に背景に対する変更の問題に組む（例えば，店舗において，人が棚から品物を取り除くとき，その棚は，瞬時に，ＦＧとして扱われるが，その場面が再度安定した後，もとに戻って，ＢＧとなる。）のに役立つ。
【００４７】
フォアグラウンド検出と追跡（ステップ７２２２）の目的は，ＦＧピクセルをＦＧオブジェクトに組み合わせ，且つそれらを多数のフレームに亘って追跡し，空間的−時間的一貫性を保障する。これは，ピクセルレベル背景モデリング（ステップ７２２１）からＦＧピクセルであると決定される複数組のピクセルだけでなく，それらの統計的特性を得る。典型的な実施の形態において，ＦＧピクセルは，当分野で周知である簡単な形態学及び連結コンポーネント検出技術を使用して，空間的により大きいＦＧオブジェクトに合併する。これらのオブジェクトは，信頼出来るサイズ情報を得るために，幾つかのフレームに亘る相関方法を使用して追跡される。典型的な追跡技術は，２０００年１０月２４日出願の「Ｉｎｔｅｒａｃｔｉｖｅ  Ｖｉｄｅｏ  Ｍａｎｉｐｕｌａｔｉｏｎ（インタラクティブビデオ操作）」と題された同一人に譲渡された同時係属米国特許出願番号０９／６９４，７１２に論じられ，その全体に参照により本明細書に組み込まれている。また，例えば，Ｗｒｅｎ，Ｃ．Ｒ．等の「Ｐｆｉｎｄｅｒ：Ｒｅａｌ−Ｔｉｍｅ  Ｔｒａｃｋｉｎｇ  ｏｆ  ｔｈｅ  Ｈｕｍａｎ  Ｂｏｄｙ（Ｐｆｉｎｄｅｒ：人体のリアルタイム追跡）」ＩＥＥＥ  Ｔｒａｎｓ．ｏｎ  Ｐａｔｔｅｒｎ  Ｍａｔｃｈｉｎｇ  ａｎｄ  Ｍａｃｈｉｎｅ  Ｉｎｔｅｌｌｉｇｅｎｃｅ，Ｖｏｌ．１９，７８０−７８４頁，１９９７年，Ｇｒｉｍｓｏｎ，Ｗ．Ｅ．Ｌ．等の「Ｕｓｉｎｇ  Ａｄａｐｔｉｖｅ  Ｔｒａｃｋｉｎｇ  ｔｏ  Ｃｌａｓｓｉｆｙ  ａｎｄ  Ｍｏｎｉｔｏｒ  Ａｃｔｉｖｉｔｉｅｓ  ｉｎ  ａ  Ｓｉｔｅ（サイト内の活動度を分類，そして，モニタするための適応追跡を使用）」ＣＶＰＲ，２２−２９頁，１９９８年６月，及びＯｌｓｏｎ，Ｔ．Ｊ．とＢｒｉｌｌ，Ｆ．Ｚ．，の「Ｍｏｖｉｎｇ  Ｏｂｊｅｃｔ  Ｄｅｔｅｃｔｉｏｎ  ａｎｄ  Ｅｖｅｎｔ  Ｒｅｃｏｇｎｉｔｉｏｎ  Ａｌｇｏｒｉｔｈｍ  ｆｏｒ  Ｓｍａｒｔ  Ｃａｍｅｒａｓ（スマートカメラのための移動オブジェクト検知と事象認識アルゴリズム）」ＩＵＷ，１５９−１７５頁，１９９７年５月を参照。これらの参照文献の各々は，その全体に本明細書に参照により組み込まれていると考慮されるものである。
【００４８】
第３のステップである，オブジェクト解析７２２３は，多数の機能を有している。オブジェクト解析７２２３は，オブジェクトを分離してカウントする，対象となるオブジェクト（例えば，人々）と「乱雑物」（例えば，ショッピングカート）との間を識別する，オブジェクトの運動方向を決定する，及びオブジェクトの隠蔽を明らかにする役割を果たす。例示の実施形態において，オブジェクトに関する決定は，サイズ，内部運動，頭状の突出部の数（例えば，人々が対象となるオブジェクトである場合），及び顔の検知（例えば例えば，また，人々が対象となるオブジェクトである場合）の内の一つ又はそれより多くに基づいて行われる。そのような機能を行う技術は，当該分野で既知であり，そのような技術の例としては，例えば，Ａｌｌｍｅｎ，Ｍ．とＤｙｅｒ，Ｃ．の「Ｌｏｎｇ−ｒａｎｇｅ  Ｓｐａｔｉｏｔｅｍｐｏｒａｌ  Ｍｏｔｉｏｎ  Ｕｎｄｅｒｓｔａｎｄｉｎｇ  Ｕｓｉｎｇ  Ｓｐａｔｉｏｔｅｍｐｏｒａｌ  Ｆｌｏｗ  Ｃｕｒｖｅｓ（空間的時間的フローカーブを使用する長期的な空間的時間的モーションの理解）」Ｐｒｏｃ．ＩＥＥＥ  ＣＶＰＲ，Ｌａｈａｉｎａ，Ｍａｕｉ，Ｈａｗａｉｉ，３０３−３０９頁，１９９１年と，Ｇａｖｒｉｌａ，Ｄ．Ｍ．の「Ｔｈｅ  Ｖｉｓｕａｌ  Ａｎａｌｙｓｉｓ  ｏｆ  Ｈｕｍａｎ  Ｍｏｖｅｍｅｎｔ：Ａ  Ｓｕｒｖｅｙ（人の動きのビジュアル解析：調査）」ＣＶＩＵ，Ｖｏｌ．７３，Ｎｏ．１，８２−９８頁，１９９９年１月と，Ｃｏｌｌｉｎｓ，Ｌｉｐｔｏｎ等の「Ａ  Ｓｙｓｔｅｍ  ｆｏｒ  Ｖｉｄｅｏ  Ｓｕｒｖｅｉｌｌａｎｃｅ  ａｎｄ  Ｍｏｎｉｔｏｒｉｎｇ：ＶＳＡＭ  Ｆｉｎａｌ  Ｒｅｐｏｒｔ（ビデオ監視とモニタリングのためのシステム：ＶＳＡＭファイナルレポート）」Ｒｏｂｏｔｉｃｓ  Ｉｎｓｔｉｔｕｔｅ，Ｃａｒｎｅｇｉｅ−Ｍｅｌｌｏｎ  Ｕｎｉｖｅｒｓｉｔｙ，Ｔｅｃ．Ｒｅｐｔ．Ｎｏ．ＣＭＵ−ＲＩ−ＴＲ−００−１２，２０００年５月と，Ｌｉｐｔｏｎ，Ａ．Ｊ．等の「Ｍｏｖｉｎｇ  Ｔａｒｇｅｔ  Ｃｌａｓｓｉｆｉｃａｔｉｏｎ  ａｎｄ  Ｔｒａｃｋｉｎｇ  ｆｒｏｍ  Ｒｅａｌ−Ｔｉｍｅ  Ｖｉｄｅｏ（リアルタイムビデオからの移動ターゲット分類と追跡）」１９９８  ＤＡＲＰＡ  ＩＵＷ，１９９８年１１月２０日から２３日と，Ｈａｅｒｉｎｇ，Ｎ．，らの「Ｖｉｓｕａｌ  Ｅｖｅｎｔ  Ｄｅｔｅｃｔｉｏｎ（ビジュアル事象検出）」Ｖｉｄｅｏ  Ｃｏｍｐｕｔｉｎｇ  Ｓｅｒｉｅｓ，Ｍ．Ｓｈａｈ，Ｅｄ．，２００１年とに論じられている。これらの参照文献の各々は，その全体に本明細書に参照により組み込まれていると考量されるものである。
【００４９】
ここでは図５に戻って，較正のステップ７２に，システムの初期化のステップ７３が続く。このステップにより，ユーザーは，システムがデータを収集，データに応答，及びデータを報告する方法に関する様々なパラメータを入力することを可能にする。先ず，ユーザーは，画像へ対象となる１つ又はそれより多くのラインを重ね合わすことが出来，これらのラインは，１つ又はそれより多くのトリップワイヤとして働く。これらのラインは，任意の向きでよく，画像内のほとんどどこへでも配置されることが出来る。例外は，ラインを横切るオブジェクト（例えば，人）が，検出するラインの両側で少なくとも部分的に目に見える必要があるので，それらのラインが，あまりに画像境界に接近し過ぎて生じないことである。例示の実施の形態において，トリップワイヤは，画像内の地面上にある，即ちオブジェクトの底部分（例えば，人の脚）がラインを横切る時に，検知されるということが想定される。より一般的な実施の形態において，ユーザーは，各ライン毎に地面の上の高さを設定することが出来る。
【００５０】
初期化されることが出来る他のパラメータは，アクティブ検出の時間間隔と，事象検出のための判定基準として各ラインを横切る方向（例えば，人がエリアに入るか，エリアから出るかのいずれかの時を決定することが望まれる時に対して，人がエリアに入る時を決定するために）と，その検出の感度と，を含む。
【００５１】
初期化７３の他の機能は，ユーザーが，様々なロギングオプションを選択することである。これらのオプションは，どのようなデータが収集されるかを決定し，限定されるものではないが，
・人々（又は，一般に，対象となるオブジェクト）が横切るときだけログすることと，
・２人又はそれより多くの人々が，横切るときだけログすることと，
・全ての横切りをログすることと，
・横断の検出がかなりの確信があるときだけログすることと，
・検出統計量だけをログすることと，
・「スナップ写真」を撮る，或いは検知事象についてビデオ全体を生成することと，
を含むことが出来る。
【００５２】
「スナップ写真」によって，それは，静止画像が生成されることが意味され，この画像は，単純に，特定のビデオ（又は他の感知デバイス）フレームでもよいし，独立して生成されてもよい。
【００５３】
初期化７３の後，そのシステムは，データを収集して，解析するように作動する７４。ユーザーが，タイムウインドウを入力した場合，そのシステムは，処理がこのタイムウインドウ内にある時その処理を開始する。それが，トリップワイヤ事象（ユーザーによって指定される場合，特定のタイプの）を検出する時，それは，添付の情報と共にログされる。添付の情報のタイプは，データレポーティングの論議において以下で明らかになる。いくつかの適用において，トリップワイヤ事象は，警報又は他の応答を起動することが出来る７６（例えば，スナップ写真を撮る）。
【００５４】
解析を行い，トリップワイヤ事象を検知する典型的な技術の実施の形態は，図１１に示されている。先ず，ＦＧオブジェクトは，オブジェクトセグメンテーション７４０を使用してビデオから決定される。オブジェクトセグメンテーション７４０は，例えば，図１０に示され，上記に論じられているステップ７２２１，７２２２及び７２２３を含むことが出来る。次に，ＦＧオブジェクトの検出が，テストされ７４１，ＦＧオブジェクトがトリップワイヤ７４２を表わすラインとオーバーラップしているか否かを決定する。上で論じられているように，トリップワイヤのラインが，常に地面にあると想定される典型的な実施の形態において，オブジェクトの底部分がトリップワイヤのラインとオーバーラップしている場合，オブジェクトは，トリップワイヤを横切ると決定される。それが，オーバーラップしていないと決定される場合，トリップワイヤ事象がない７４３。次に，オーバーラップしている場合，指定された方向における横断だけが，トリップワイヤ事象であると考えられる時に，その横断の方向がテストされ７４４，そして，指定された方向において生じないそれらの横断は，トリップワイヤ事象であるとはみなされない７４５。次に，いずれかの方向における横断がトリップワイヤ事象を表わす場合，プロセスは，ステップ７４４のテストを飛ばす。ステップ７４４が実行され，，肯定結果をもたらす場合，或いはステップ７４４が実行されない場合，次に，追加の問い合わせ７４６が，実行されることがある。そのような問い合わせは，例えば，対象となるオブジェクトの特定の特徴（例えば，車，トラック，ブルーの車，ブルーのステーションワゴン，特定のサイズよりも小さい車等），又は特定のオブジェクト（例えば，特定の人の顔，ライセンスプレートナンバー等）を決定することを含むことが出来る。そのような問い合わせ７４６が肯定結果を戻す場合，又はそのような問合せが行われない場合，次に，プロセスは，トリップワイヤ事象が発生したと決定する７４７。勿論，そのような問い合わせ７４６が行われ，否定結果を戻す場合，次に，トリップワイヤ事象が発生しなかったと決定される。
【００５５】
横断の方向の決定７４４を実施するためにいくつかの方法が可能である。第１の例として，トリップワイヤを横切る時に検出されるオブジェクトに対してオプティカルフロー方法を使用して実行されることが出来る。また，オプティカルフロー方法の使用は，オブジェクトセグメンテーションの必要性を除去する役割を果たす。第２の例として，軌跡情報は，オブジェクト追跡から使用されることが出来る（図１０のステップ７２２２）。第３の例として，それは，ユーザーによって入力される各実際のトリップワイヤのいずれかの側に二次的（ダミー）トリップワイヤを設定し，実際のトリップワイヤが横切られる時二次的トリップワイヤがどの順序で横切られるかを決定することによって実行される。
【００５６】
較正７２は，特に，特定のタイプのオブジェクトだけが対象となる場合，ステップ７４の実行に特に重要である。例えば，人々が，対象となるオブジェクトである場合，較正７２により，例えば，人々と，人々よりも小さい（例えば，猫とネズミ）か大きい（例えば，一団の人及び車）かのいずれかのオブジェクトとの間をステップ７４が識別することを可能にする。
【００５７】
データが収集された時，次に，データが，ユーザー７５に報告されることが出来る。本発明の例示の実施形態において，ユーザーは，グラフィカルユーザーインターフェース（ＧＵＩ）を使用して結果についてシステムに問い合わせることが出来る。この実施の形態において，１つ又はそれより多くの個々の検出についての要約情報及び／又は詳細データが，表示されることが出来る。要約情報は，下記のもの１つ又はそれより多くを含む。検出の数と，検出された人々（又は，対象となる他のオブジェクト）の数と，複数の人（複数のオブジェクト）検出（即ち，複数の人（又は対象となる複数のオブジェクト）が同時に横切る時）の数と，各方向に横切る人（オブジェクト）の数と，ユーザー選択タイムウインドウ内での前述いずれか又は全て，及び前述のいずれか又は全ての１つ又はそれより多くのタイムヒストグラムとである。単一の検知についての詳細は，下記のものの１つ又はそれより多くのものを含むことが出来る。タイムと，方向と，横切る人々（オブジェクト）の数と，横切るオブジェクト（単数または複数）のサイズ，及び検出時を中心に取られる１枚又はそれより多くのスナップ写真又はビデオである。
【００５８】
図１２と図１３は，典型的な実施の形態における，例証となるレポーティングディスプレイのサンプルスクリーン写真を示している。図１２は，廊下に掛け渡されたトリップワイヤ１２４の横断についての要約情報１２１を示している。この特定の実例において，スクリーンは，トリップワイヤ１２４を含む領域のライブビデオ１２３を示している。また，監視が生じている間の期間（即ち，タイムウインドウ）及び横断事象がログされている間の期間を示す説明文１２５が含まれている。要約情報１２１は，横断の数及びそれらの方向を含む。この場合，ユーザーは，更に，特定の横断時間と日付１２２が表示されることを指定している。
【００５９】
図１３は，特定の横断事象についての個々の情報を示している。これらの横断事象は，図１２の特定の横断時間と日付１２２に対応して発生する。図１３のディスプレイにおいて，ユーザーは，その時間と日付と共に，各横断事象のスナップ写真を表示するように選択した。特に，スナップ写真１３１と１３２は，図１２のビデオ１２３に示される領域内の横断事象に相当する。他の実施の形態において，ユーザーは，横断事象の時間を中心に撮られた対応するビデオを見るために，スナップ写真の上又はにスナップ写真に関連するボタンをクリックすることが出来る。
【００６０】
本発明のビデオトリップワイヤの適用の例は，「テールゲーティング」の検出である。テールゲーティングは，特定の数の人々（しばしば，一人である）が，領域（など）に入ることを可能とし，そして，一人又はそれより多くの他の人が，さらに接近して続いて入ろうとする事象を記述している。図１４は，テールゲーティング検出システムを実施する方法のフローチャートを描いている。この実施の形態において，ビデオ監視カメラは，例えば，ドア又は回転ドアなどのエントランスを通って入ることを記録することが出来るような位置に設置されていることが想定される。更に，そのカメラは，上記に論じられるように較正される必要がある。システムは，エントランス１４１を通って，人が入っている又は入ろうとしていることを検出することで開始する。これは，多数の手段によって達成されることが出来る。例えば，１つは，通貨を入れる，キーパッドにコードを入力する，又はカードリーダーにカードを通す，或いは，システムが，エントランスの開放を視覚的に検出するためにビデオベースの検出方法を使用することが出来る（これは，外部装置（カードリーダー，キーパッド等）とのインターフェースを必要としないという利点を有し，それにより，ある種の環境での設置と実施を容易にさせる）。入るのが検知されると，監視が開始する１４２。この監視中，システムは，エントランスを通って移動するオブジェクトを検出し，それらを解析し，何人の人々が入ったかを決定する。これは，上述のように，カメラが顔を記録することが出来るように位置を定められている場合，顔の検出を含む。次に，そのシステムは，入った人々の数が許されるか否かを決定する１４３。例示の実施の形態において，一人だけが，一回入ることが許容されている。しかしながら，より一般的な実施の形態において，これは，任意の選択された数でよい。一人（許されている数）が入る場合，応答は必要がない１４４。これに反して，一人より多くの人（許されている数を超える）が，入るとすれば，応答が起動される１４５。そのような応答は，例えば，警報を鳴らすこと，スナップ写真を撮ること，又は入口周囲のビデオを記録すること等を含むことが出来る。後者の２つの応答のいずれかを使用するシステムの追加の利点は，それが，カードリーダーを有するシステムの場合，窃盗カードを使用する人を追跡する際の有効な証拠を提供することが出来ることである。
【００６１】
本明細書に例示され，論じられる実施の形態は，本発明を行い，使用するために，本発明者とって既知の最良の方法を当業者に教示することだけを意図されるものである。本明細書において，本発明の範囲を限定すると考えられるものは何もない。本実施の形態は，上記の教示を鑑みて当業者には明らかなように，本発明から逸脱することなく，変更又は変形されることが出来，且つ要素が追加又は省略されることが出来る。従って，特許請求の範囲とそれらの均等物内で，本発明が，特に記述されるものとは別の方法で実施されることが出来るということは理解されるべきである。
【００６２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【図面の簡単な説明】
【００６３】
【図１】従来技術に係るトリップワイヤシステムの概略を示す説明図である。
【図２】従来技術に係るビデオ監視システムの概略を示す説明図である。
【図３】本実施の形態によるビデオトリップワイヤシステムの概略を示す説明図である。
【図４】本実施の形態にかかる解析システムの実施の形態のブロック図である。
【図５】本実施の形態にかかる方法を描いているフローチャートである。
【図６】図５に示す較正ステップの第１の実施形態を概略的に示すフローチャートである。
【図７】図５に示す較正ステップの第２の実施形態を概略的に示すフローチャートである。
【図８】図５に示す較正ステップの第３の実施形態を概略的に示すフローチャートである。
【図９】図８に示すヒストグラムステップの概略を示す説明図である。
【図１０】図７と図８に示すセグメント化ステップの概略を示すフローチャートである。
【図１１】本実施の形態にかかるトリップワイヤ横断を検出するステップの概略を示すフローチャートである。
【図１２】本実施の形態にかかる報告フォーマットの「スクリーン写真」の概略を示す説明図である。
【図１３】本実施の形態にかかる報告フォーマットの「スクリーン写真」の概略を示す説明図である。
【図１４】本実施の形態にかかるアプリケーションを描くフローチャートを示す。
【符号の説明】
【００６４】
６    ユーザーインターフェース
５１  受信機
５２  コンピュータシステム
５３  メモリ
【図１】
2005506740.tif 000003
【図２】
2005506740.tif 000004
【図３】
2005506740.tif 000005
【図４】
2005506740.tif 000006
【図５】
2005506740.tif 000007
【図６】
2005506740.tif 000008
【図７】
2005506740.tif 000009
【図８】
2005506740.tif 000010
【図９】
2005506740.tif 000011
【図１０】
2005506740.tif 000012
【図１１】
2005506740.tif 000013
【図１２】
2005506740.tif 000014
【図１３】
2005506740.tif 000015
【図１４】
2005506740.tif 000016
【国際公開パンフレット】
2005506740.tif 000017
2005506740.tif 000018
2005506740.tif 000019
2005506740.tif 000020
2005506740.tif 000021
2005506740.tif 000022
2005506740.tif 000023
2005506740.tif 000024
2005506740.tif 000025
2005506740.tif 000026
2005506740.tif 000027
2005506740.tif 000028
2005506740.tif 000029
2005506740.tif 000030
2005506740.tif 000031
2005506740.tif 000032
2005506740.tif 000033
2005506740.tif 000034
2005506740.tif 000035
2005506740.tif 000036
2005506740.tif 000037
2005506740.tif 000038
2005506740.tif 000039
2005506740.tif 000040
2005506740.tif 000041
2005506740.tif 000042
2005506740.tif 000043
2005506740.tif 000044
2005506740.tif 000045
2005506740.tif 000046
2005506740.tif 000047
2005506740.tif 000048
2005506740.tif 000049
2005506740.tif 000050
2005506740.tif 000051
2005506740.tif 000052
【国際公開パンフレット（コレクトバージョン）】
2005506740.tif 000053
2005506740.tif 000054
【国際調査報告】
2005506740.tif 000055